(57)【特許請求の範囲】
【請求項１】
電気部品に対して一体的に組込み可能な電気部品組込コネクタと、
ワイヤーハーネスに含まれる複数の電線のそれぞれに接続可能な複数の端子を含む第１コネクタと、
少なくとも１本の電線に接続可能な少なくとも１つの端子を含む第２コネクタと、
を備え、
前記電気部品組込コネクタは、
一端部にコネクタ端子部が設けられると共に、他端部が前記電気部品に電気的に接続可能な端子と、
両端部にコネクタ端子部を有する中継端子と、
前記端子のコネクタ端子部と前記中継端子の一端側のコネクタ端子部とを、前記第１コネクタの複数の端子と接続可能な状態で保持すると共に、前記中継端子の他端側のコネクタ端子部を前記第２コネクタの端子と接続可能な状態で保持するコネクタハウジングと、
を備える、コネクタユニット。
【請求項２】
請求項１記載のコネクタユニットであって、
前記第２コネクタが複数設けられている、コネクタユニット。
【請求項３】
請求項１又は請求項２に記載のコネクタユニットであって、
前記電気部品組込コネクタは、
一端部に前記コネクタハウジングにより前記第２コネクタの端子と接続可能な状態に保持されたコネクタ端子部が設けられると共に、他端部が前記電気部品に電気的に接続可能な追加端子をさらに備える、コネクタユニット。
【請求項４】
請求項１〜請求項３のいずれか１項に記載のコネクタユニットであって、
前記電気部品は、実装基板及び実装基板を収容する筐体とを含み、
前記電気部品組込コネクタは、前記実装基板に実装された状態で、前記筐体から露出して前記第１コネクタ及び前記第２コネクタとコネクタ接続可能に構成されている、コネクタユニット。
【請求項５】
電気部品に一体的に組込まれる電気部品組込コネクタであって、
一端部にコネクタ端子部が設けられると共に、他端部が前記電気部品に電気的に接続可能な端子と、
両端部にコネクタ端子部が設けられた中継端子と、
前記端子のコネクタ端子部と前記中継端子の一端側のコネクタ端子部とを、外部の第１コネクタの複数の端子と接続可能な状態で保持すると共に、前記中継端子の他端側のコネクタ端子部を外部の第２コネクタの端子と接続可能な状態で保持するコネクタハウジングと、
を備える、電気部品組込コネクタ。
【請求項６】
電気部品と、
請求項５に記載の電気部品組込コネクタであって、前記端子の他端部が前記電気部品に電気的に接続されると共に、前記第１コネクタ及び前記第２コネクタとコネクタ接続可能な状態で、前記電気部品に組込まれたもの、
を備えるコネクタ付電気部品。
【発明の詳細な説明】
【技術分野】
【０００１】
この発明は、複数の電気部品同士を接続するための技術に関する。
【背景技術】
【０００２】
特許文献１に開示されているように、車両におけるＥＣＵ等の電気部品同士は、コネクタ及び電線を含むワイヤーハーネスによって電気的に接続される。
【先行技術文献】
【特許文献】
【０００３】
【特許文献１】特開２０１３−５８３３０号公報
【発明の概要】
【発明が解決しようとする課題】
【０００４】
ところで、ある電気部品から引出されたワイヤーハーネスを、他の２つの電気部品に電気的に接続する場合を考える。この場合、ワイヤーハーネスを途中で分岐させて当該他の２つの電気部品にコネクタ接続すること、又は、ある電気部品から２つのワイヤーハーネスを引出し、それぞれ別々に当該２つの電気部品にコネクタ接続すること等が考えられる。
【０００５】
しかしながら、いずれの場合であっても、ワイヤーハーネスの構成が複雑化するという問題がある。
【０００６】
そこで、本発明は、ワイヤーハーネスを複数の電気部品に電気的に接続する場合において、その構成の簡易化を図ることを目的とする。
【課題を解決するための手段】
【０００７】
上記課題を解決するため、第１の態様に係るコネクタユニットは、電気部品に対して一体的に組込み可能な電気部品組込コネクタと、ワイヤーハーネスに含まれる複数の電線のそれぞれに接続可能な複数の端子を含む第１コネクタと、少なくとも１本の電線に接続可能な少なくとも１つの端子を含む第２コネクタとを備え、前記電気部品組込コネクタは、一端部にコネクタ端子部が設けられると共に、他端部が前記電気部品に電気的に接続可能な端子と、両端部にコネクタ端子部を有する中継端子と、前記端子のコネクタ端子部と前記中継端子の一端側のコネクタ端子部とを、前記第１コネクタの複数の端子と接続可能な状態で保持すると共に、前記中継端子の他端側のコネクタ端子部を前記第２コネクタの端子と接続可能な状態で保持するコネクタハウジングとを備える。
【０００８】
第２の態様は、第１の態様に係るコネクタユニットであって、前記第２コネクタが複数設けられているものである。
【０００９】
第３の態様は、第１又は第２の態様に係るコネクタユニットであって、前記電気部品組込コネクタは、一端部に前記コネクタハウジングにより前記第２コネクタの端子と接続可能な状態に保持されたコネクタ端子部が設けられると共に、他端部が前記電気部品に電気的に接続可能な追加端子をさらに備えるものである。
【００１０】
第４の態様は、第１〜第３のいずれか１つの態様に係るコネクタユニットであって、前記電気部品は、実装基板及び実装基板を収容する筐体とを含み、前記電気部品組込コネクタは、前記実装基板に実装された状態で、前記筐体から露出して前記第１コネクタ及び前記第２コネクタとコネクタ接続可能に構成されているものである。
【００１１】
第５の態様は、電気部品に一体的に組込まれる電気部品組込コネクタであって、一端部にコネクタ端子部が設けられると共に、他端部が前記電気部品に電気的に接続可能な端子と、両端部にコネクタ端子部が設けられた中継端子と、前記端子のコネクタ端子部と前記中継端子の一端側のコネクタ端子部とを、外部の第１コネクタの複数の端子と接続可能な状態で保持すると共に、前記中継端子の他端側のコネクタ端子部を外部の第２コネクタの端子と接続可能な状態で保持するコネクタハウジングとを備える。
【００１２】
第６の態様に係るコネクタ付電気部品は、電気部品と、第５の態様に係る電気部品組込コネクタであって、前記端子の他端部が前記電気部品に電気的に接続されると共に、前記第１コネクタ及び前記第２コネクタとコネクタ接続可能な状態で、前記電気部品に組込まれたものとを備える。
【発明の効果】
【００１３】
第１〜第５の態様によると、第１コネクタの複数の端子の一部は、電気部品組込コネクタの端子を介して電気部品に電気的に接続される。第１コネクタの複数の端子の他の一部は、電気部品組込コネクタの中継端子を介して第２コネクタの端子に電気的に接続され、第２コネクタの端子を介して他の電気部品に電気的に接続される。このため、第１コネクタを電気部品組込コネクタにコネクタ接続することによって、第１コネクタの複数の端子を、電気部品及び他の電気部品に電気的に接続することができる。これにより、ワイヤーハーネスを複数の電気部品に接続する場合において、その構成の簡易化を図ることができる。
【００１４】
第２の態様によると、複数の第２コネクタを、電気部品組込コネクタの中継端子を介して一括して第１コネクタに接続できる。
【００１５】
第３の態様によると、第２コネクタを電気部品組込コネクタにコネクタ接続すると、第２コネクタの端子が追加端子を介して電気部品にも接続される。このため、電気部品と、第２コネクタ側の電気部品とを別途ワイヤーハーネス等で接続する必要はなく、配線構成の簡易化が図られる。
【００１６】
第４の態様によると、電気部品組込コネクタを電気部品に対して容易に組込むことができる。
【図面の簡単な説明】
【００１７】
【図１】実施形態に係るコネクタユニットを示す概略斜視図である。
【図２】コネクタ付電気部品の概略分解斜視図である。
【図３】電気部品組込コネクタの概略平面図である。
【図４】図２のＩＶ−ＩＶ線概略断面図である。
【図５】図２のＶ−Ｖ線概略断面図である。
【図６】コネクタユニットを適用した配線例を示す図である。
【図７】第１変形例に係る電気部品組込コネクタを示す概略平面図である。
【図８】第２変形例に係る電気部品組込コネクタを示す概略平面図である。
【図９】同上の電気部品組込コネクタを示す概略正面図である。
【発明を実施するための形態】
【００１８】
以下、実施形態に係るコネクタユニット、電気部品組込コネクタ及びコネクタ付電気部品について説明する。
【００１９】
図１はコネクタユニット３０を示す概略斜視図であり、図２はコネクタ付電気部品２０の概略分解斜視図であり、図３は電気部品組込コネクタ４０の概略平面図であり、図４は図２のＩＶ−ＩＶ線概略断面図であり、図５は図２のＶ−Ｖ線概略断面図であり、図６は本コネクタユニット３０を適用した配線例を示す図である。
【００２０】
コネクタユニット３０は、複数の電気部品である電気部品１０、１１、１２Ａ、１２Ｂを電気的に接続するために用いられるものであり、電気部品組込コネクタ４０と、第１コネクタ６０と、第２コネクタ７０Ａ、７０Ｂとを備える。
【００２１】
電気部品組込コネクタ４０は、電気部品である電気部品１０に組込み可能に構成されている。第１コネクタ６０は、ワイヤーハーネス６８を通じて電気部品１１に接続可能に構成されている。また、第２コネクタ７０Ａは電線７９を通じて電気部品１２Ａに接続可能に構成され、第２コネクタ７０Ｂは他の電線７９を通じて電気部品１２Ｂに接続可能に構成されている。電気部品１０、１１、１２Ａ、１２Ｂとしては、車両に搭載される各種電気部品、例えば、ＥＣＵ（電子制御ユニット）、バッテリ、発電機、各種スイッチ、センサ等が想定される。
【００２２】
そして、第１コネクタ６０を電気部品組込コネクタ４０にコネクタ接続することによって、第１コネクタ６０及び電気部品組込コネクタ４０を介して、電気部品１０側の回路と電気部品１１側の回路とが電気的に接続される。また、第２コネクタ７０Ａ、７０Ｂを電気部品組込コネクタ４０にコネクタ接続することによって、第２コネクタ７０Ａ、７０Ｂ及び電気部品組込コネクタ４０を介して、電気部品１１側の回路と電気部品１２Ａ、１２Ｂ側の回路とが電気的に接続される。
【００２３】
より具体的に説明する。
【００２４】
第１コネクタ６０は、複数の端子６２と、コネクタハウジング６４とを備える。
【００２５】
端子６２の一端部は、コネクタ端子部６２ａに形成されている。ここでは、コネクタ端子部６２ａは、筒形状であるメス端子形状に形成されている。もっとも、コネクタ端子部６２ａは、板状又はピン状のオス端子形状に形成されていてもよい。また、端子６２の他端部は、ワイヤーハーネス６８の電線６９に電気的に接続可能な電線接続部６２ｂに形成されている。電線接続部６２ｂは、例えば、電線６９の端部に露出した芯線部に圧着されることによって、電線６９の端部に電気的及び機械的に接続可能な圧着部形状に形成されている。
【００２６】
コネクタハウジング６４には、端子６２を収容した状態で保持するキャビティが複数形成されており、複数の端子６２が複数のキャビティに挿入保持されることによって、一定の配列形態で保持される。通常、キャビティ内には、端子６２に抜止め係止する突起（ランス等と呼ばれる）が設けられており、この突起によって端子６２が抜止め状態で保持される。ここでは、キャビティは、上下２段で、幅方向において９つ形成されている。
【００２７】
ワイヤーハーネス６８は、複数の電線６９が束ねられた構成とされている。そして、複数の電線６９の一端部が複数の端子６２に接続されている。また、複数の電線６９の他端部は、電気部品１１への接続用のコネクタ６９ｃの複数の端子にそれぞれ接続されている。そして、このコネクタ６９ｃが、電気部品１１に設けられたコネクタ１１ｃにコネクタ接続されることによって、電気部品１１側の複数の回路が、複数の電線６９を介して、第１コネクタ６０の各端子６２に電気的に接続される。
【００２８】
なお、ワイヤーハーネス６８の途中で電線が分岐していてもよい。
【００２９】
第２コネクタ７０Ａは、少なくとも１つの端子７２と、コネクタハウジング７４とを備える。ここでは、端子７２が複数設けられ、これに応じて、後述する電線７９等も複数設けられる例で説明する。
【００３０】
端子７２の一端部は、コネクタ端子部７２ａに形成されている。また、端子７２の他端部は、電線７９に電気的に接続可能な電線接続部７２ｂに形成されている。コネクタ端子部７２ａは、上記コネクタ端子部６２ａと同様構成であり、電線接続部７２ｂは、上記電線接続部６２ｂと同様構成である。
【００３１】
コネクタハウジング７４には、端子７２を収容した状態で保持するキャビティが複数形成されており、複数の端子７２が複数のキャビティに挿入保持されることによって、一定の配列形態で保持される。キャビネット内における端子７２の保持構造は、上記コネクタハウジング６４における保持構造と同様である。また、ここでは、キャビティは、上下２段で、幅方向に複数（２つ）設けられている。
【００３２】
また、複数の電線７９の一端部が複数の端子７２のそれぞれに接続されている。また、複数の電線７９の他端部は、電気部品１２Ａへの接続用のコネクタ７９ｃの複数の端子にそれぞれ接続されている。そして、このコネクタ７９ｃが、電気部品１２Ａに設けられたコネクタ１２ｃにコネクタ接続されることによって、電気部品１２Ａ側の複数の回路が、複数の電線７９を介して、第２コネクタ７０Ａの複数の端子７２に電気的に接続される。
【００３３】
第２コネクタ７０Ｂは、接続先が電気部品１２Ｂである点を除いては、上記第２コネクタ７０Ａと同様構成である。もっとも、第２コネクタ７０Ａと第２コネクタ７０Ｂとで、端子７２の数、配列等が異なっていてもよい。また、第２コネクタ７０Ａと第２コネクタ７０Ｂの両方が存在することは必須ではなく、その一方のみが設けられていてもよい。
【００３４】
電気部品組込コネクタ４０は、電気部品１０に一体的に組込可能に構成されており、端子５２と、中継端子５４と、コネクタハウジング４４とを備える。ここでは、電気部品組込コネクタ４０は、複数の端子５２と、複数の中継端子５４とを備える。
【００３５】
コネクタハウジング４４は、樹脂等によって金型成形された部材であり、ハウジング本体部４５と、フード部４６、４７とを備える。
【００３６】
ハウジング本体部４５は、偏平な直方体形状に形成されており、筐体１８外に突出する第１の部分４５ａと、筐体１８側に配設される第２の部分４５ｂとを含む。
【００３７】
ハウジング本体部４５の一方端面側では、上記第１の部分４５ａと第２の部分４５ｂとが面一状に連なって露出しており、ここに、複数の端子５２のコネクタ端子部５２ａと、複数の中継端子５４の一端側のコネクタ端子部５４ａとが突出している。また、この周りを角筒状のフード部４６が覆っている。このフード部４６により、複数の端子５２のコネクタ端子部５２ａ及び複数の中継端子５４の一端側のコネクタ端子部５４ａの変形が抑制される。
【００３８】
また、ハウジング本体部４５の他方端面側では、第１の部分４５ａが露出しており、ここに、複数の中継端子５４の他端側のコネクタ端子部５４ｂが突出している。また、この周りを角筒状のフード部４７が覆っている。このフード部４７により、複数の中継端子５４の一端側のコネクタ端子部５４ｂの変形が抑制される。
【００３９】
なお、上記フード部４６、４７及びこれらの嵌め込まれる第１コネクタ６０、第２コネクタ７０Ａ、７０Ｂには、それらの嵌め込み状態を保持するロック用孔及びロック用突起が形成されていることが好ましい。
【００４０】
このコネクタハウジング４４によって、複数の端子５２と複数の中継端子５４とが所定の配列状態で保持される。ここでは、６つの端子５２が上下２段幅方向に３つ配列した状態で保持されている。また、８つの中継端子５４が上下２段幅方向に４つ配列した状態で保持されている。また、８つの中継端子５４の配列形態の幅方向中央部において、間隔が隔てられている。
【００４１】
端子５２は、金属板等をプレス加工等することによって形成された部品である。この端子５２の一端部にはコネクタ端子部５２ａが設けられ、他端部は電気部品１０に電気的に接続可能とされている。
【００４２】
ここでは、端子５２は、Ｌ字状に形成されており、その一端部のコネクタ端子部５２ａが、細長板状又はピン状に形成されており、上記コネクタ端子部６２ａに接続可能に構成されている。もっとも、このコネクタ端子部が筒状のメス端子形状に形成されていてもよい。
【００４３】
そして、複数の端子５２のコネクタ端子部５２ａが、コネクタハウジング４４によって、第１コネクタ６０の複数の端子６２と接続可能な一定の配列状態で保持される。ここでは、複数の端子５２のコネクタ端子部５２ａは、第１コネクタ６０の一側よりの複数の端子６２と接続可能な状態で保持される。
【００４４】
端子５２の他端部は、電気部品１０の実装基板１９の配線パターンに電気的に接続可能に構成されている。ここでは、端子５２の他端部は、コネクタハウジング４４の第２の部分４５ｂの背面側に突出し、その途中でＬ字状に曲って延出している。
【００４５】
ここで、電気部品１０としては、実装基板１９と、この実装基板を収容する筐体１８とを備えるものが想定されている。実装基板１９には、銅箔等によって所定の配線パターンが形成されると共に、半導体部品等の各種電気部品が実装されている。
【００４６】
そして、上記端子５２の他端部が実装基板１９に形成されたスルーホールに挿入接続される。これにより、端子５２が実装基板１９に形成された配線パターンに電気的に接続される。配線パターンは、実装基板１９に実装された電気部品に接続されている。このため、端子５２は、実装基板１９に形成された電気回路を外部の電気部品に接続するための端子として用いられることになる。
【００４７】
上記端子５２と配線パターンとの電気的な接続は、半田付によってなされてもよいし、端子５２の他端部の先端部がスルーホールに圧入されることによって、該スルーホール内周面に形成された配線に押付けられる構成（プレスフィット端子等とも呼ばれる）であってもよい。
【００４８】
このようにして、端子５２の他端部が実装基板１９に接続される構成によって、電気部品組込コネクタ４０が、実装基板１９に対して実装固定される。
【００４９】
なお、実装基板１９は、筐体１８内に収容される。筐体１８は、樹脂又は金属等によって箱状に形成されている。機器筐体は、一方が開口した筐体本体部と蓋部との組合わせによって構成されていてもよい。この筐体１８には、上記電気部品組込コネクタ４０を外部に突出させるための開口１８ｈが形成されている。そして、上記実装基板１９を筐体１８内にネジ止等によって固定した状態で、電気部品組込コネクタ４０が開口１８ｈを通じて筐体１８外に突出し、もって、この電気部品組込コネクタ４０に対して、第１コネクタ６０及び第２コネクタ７０Ａ、７０Ｂをコネクタ接続できるようになっている。
【００５０】
中継端子５４は、金属板をプレス加工等することによって形成された部品である。この中継端子５４の両端部は、コネクタ端子部５４ａ、５４ｂに形成されている。ここでは、中継端子５４は、直線状に形成されている。また、中継端子５４の両端部のコネクタ端子部５４ａ、５４ｂが細長板状又はピン状に形成されており、上記コネクタ端子部６２ａ、７２ａに接続可能に構成されている。もっとも、このコネクタ端子部が筒状のメス端子形状に形成されていてもよい。
【００５１】
そして、複数の中継端子５４の一端側のコネクタ端子部５４ａが、上記端子５２のコネクタ端子部５４ａと共に、コネクタハウジング４４によって、第１コネクタ６０の複数の端子６２と接続可能な一定の配列状態で保持される。また、複数の中継端子５４の他端側のコネクタ端子部５４ｂが、上記コネクタハウジング４４によって、第２コネクタ７０Ａ、７０Ｂの複数の端子７２と接続可能な一定の配列状態で保持される。
【００５２】
なお、複数の端子５２と複数の中継端子５４との間では、広めの間隔が空いている。また、複数の中継端子５４の他端側のコネクタ端子部５４ｂについては、第２コネクタ７０Ａに接続されるものと、第２コネクタ７０Ｂに接続されるものとがあり、両者の間には広めの間隔が空いている。
【００５３】
端子５２及び中継端子５４は、コネクタハウジング４４に対してインサート部品として埋設されたものであってもよいし、コネクタハウジング４４に形成された装着用の孔に対して、コネクタハウジング４４の成形後に挿入装着されたものであってもよい。
【００５４】
この電気部品組込コネクタ４０においては、コネクタハウジング４４の一方主面側に、端子５２のコネクタ端子部５２ａ及び中継端子５４のコネクタ端子部５４ａが並んで突出している。また、これらのコネクタ端子部５２ａ、５４ａを囲むようにしてフード部４６が設けられている。
【００５５】
そして、コネクタハウジング４４のフード部４６内に第１コネクタ６０を嵌め込むようにすると、第１コネクタ６０の端子６２が電気部品組込コネクタ４０の端子５２及び中継端子５４に接続される。
【００５６】
また、コネクタハウジング４４の他方主面側に、中継端子５４のコネクタ端子部５４ｂが並んで突出している。また、これらのコネクタ端子部５４ｂを囲むようにしてフード部４７が設けられている。
【００５７】
そして、コネクタハウジング４４のフード部４７内に第２コネクタ７０Ａ、７０Ｂを隣接状態で嵌め込むようにすると、第２コネクタ７０Ａ、７０Ｂの端子７２が電気部品組込コネクタ４０の中継端子５４に接続される。
【００５８】
つまり、電気部品組込コネクタ４０の一方主面側に、第１コネクタ６０をコネクタ接続可能なコネクタ部分が形成され、その反対の他方主面に、第２コネクタ７０Ａ、７０Ｂをコネクタ接続可能なコネクタ部分が形成されていると捉えることができる。
【００５９】
上記のように、電気部品組込コネクタ４０に対して、第１コネクタ６０及び第２コネクタ７０Ａ、７０Ｂがコネクタ接続されると、第１コネクタ６０の端子６２が、電気部品組込コネクタ４０の端子５２及び中継端子５４に接続される。端子６２のうち端子５２に接続されたものは、当該端子５２を介して電気部品１０の実装基板１９の回路に電気的に接続される。端子６２のうち中継端子５４に接続されたものは、当該中継端子５４を介して第２コネクタ７０Ａ及び第２コネクタ７０Ｂのいずれかの端子７２に電気的に接続される。
【００６０】
これにより、図６に示すように、第１コネクタ６０を、電気部品組込コネクタ４０にコネクタ接続することによって、電気部品１１側のワイヤーハーネス６８を、電気部品１１及び電気部品１２Ａ、１２Ｂに接続することができる。従って、ワイヤーハーネス６８を、複数の電気部品１０、１２Ａ、１２Ｂに接続する場合において、ワイヤーハーネス６８の構成の簡易化を図ることができる。
【００６１】
また、ワイヤーハーネス６８の車両への組込作業も容易となる。
【００６２】
しかも、電気部品組込コネクタ４０には、複数の第２コネクタ７０Ａ、７０Ｂがコネクタ接続される。そして、この第２コネクタ７０Ａ、７０Ｂの各端子７２は、電気部品組込コネクタ４０の中継端子５４を介して、第１コネクタ６０の端子６２に一括して接続される。このため、ワイヤーハーネス６８を、複数の電気部品１２Ａ、１２Ｂに接続することも簡易かつ容易となる。この点かららも、ワイヤーハーネス６８の車両への組込作業が容易となる。
【００６３】
また、電気部品１０は、実装基板１９と筐体１８とを備える構成であり、電気部品組込コネクタ４０は、実装基板１９に実装された状態で、筐体１８から露出して、第１コネクタ６０及び第２コネクタ７０Ａ、７０Ｂに接続可能に構成されている。このため、電気部品組込コネクタ４０を、電気部品１０に対して容易に組込むことができる。
【００６４】
上記実施形態を前提とする変形例について説明する。
【００６５】
図７は第１変形例に係る電気部品組込コネクタ１４０を示す概略平面図である。
【００６６】
この電気部品組込コネクタ１４０では、複数の端子５２及び複数の中継端子５４のうち隣合う関係にある端子５２及び中継端子５４が省略され、代りに追加端子１５６が設けられている。
【００６７】
追加端子１５６の一端部は、第２コネクタ７０Ａの端子７２と接続可能なコネクタ端子部１５６ａに形成されている。ここでは、コネクタ端子部１５６ａは、細長板形状又はピン形状のオス端子形状に形成されている。このコネクタ端子部１５６ａは、コネクタハウジング４４に対応するコネクタハウジング１４４によって、省略された上記中継端子５４の代りに、他の中継端子５４の他端側のコネクタ端子部５４ｂと共に並列された状態で保持されており、上記第２コネクタ７０Ａと接続可能な状態に保持されている。
【００６８】
なお、第１コネクタ６０では、省略された上記中継端子５４に対応する端子６２は、省略される。
【００６９】
追加端子１５６の他端部は、電気部品１０に接続可能な電気部品接続部１５６ｂに形成されている。すなわち、追加端子１５６は、コネクタ端子部１５６ａと電気部品接続部１５６ｂとの間でＵ字状に曲るように形成されている。電気部品接続部１５６ｂは、省略された端子５２のうち実装基板１９に接続される部分と同様形状に形成されており、コネクタハウジング１４４の背面側にＬ字状に延出して、実装基板１９に電気的及び機械的に接続されている。
【００７０】
なお、追加端子１５６は、コネクタハウジング１４４に対してインサート成形されたものであってもよいし、コネクタハウジング１４４成形後に嵌め込まれたものであってもよい。
【００７１】
この電気部品組込コネクタ１４０によると、第２コネクタ７０Ａの端子７２の一部は、中継端子５４を介して第１コネクタ６０の端子６２に電気的に接続され、第２コネクタ７０Ａの端子７２の他の一部は、追加端子１５６を介して電気部品１０、即ち、実装基板１９の回路に電気的に接続される。このため、電気部品１０と電気部品１２Ａとの間を電気的に接続する必要がある場合でも、電気部品１０と電気部品１２Ａとを別のワイヤーハーネスによって接続する必要はなく、効率的なワイヤーハーネスの配索が可能となる。
【００７２】
図８は第２変形例に係る電気部品組込コネクタ２４０を示す概略平面図であり、図９は第２変形例に係る電気部品組込コネクタ２４０を示す概略正面図である。
【００７３】
この変形例では、複数の端子５２の１つと、第２コネクタ７０Ｂに接続される複数の中継端子５４の１つとが省略され、代りに、追加端子２５６が設けられている。
【００７４】
追加端子２５６の一端部は、上記追加端子１５６の一端部と同様に、コネクタ端子部２５６ａに形成されており、省略された上記中継端子５４のコネクタ端子部５４ｂの位置に配設されている。また、追加端子２５６の他端部は、追加端子１５６の他端部と同様に、電気部品接続部２５６ｂに形成されており、省略された端子５２の位置に配設されている。
【００７５】
この第２変形例では、コネクタ端子部２５６ａと電気部品接続部２５６ｂとの間に、他の中継端子５４が存在している。そこで、コネクタ端子部２５６ａと電気部品接続部２５６ｂとをＵ字状に繋ぐ形状に形成すると共に、追加端子２５６のうちコネクタ端子部２５６ａと電気部品接続部２５６ｂとの間の部分を、中継端子５４を避けるように曲げている。ここでは、前記間の部分を、コネクタハウジング４４に対応するコネクタハウジング２４４の厚み方向において、上下２列の中継端子５４間を通るように曲げている。これにより、他の中継端子５４と接触させることなく、コネクタ端子部２５６ａと電気部品接続部２５６ｂとを接続することができる。
【００７６】
この変形例に係る電気部品組込コネクタ２４０によると、第２コネクタ７０Ｂの端子７２の一部は、中継端子５４を介して第１コネクタ６０の端子６２に電気的に接続され、第２コネクタ７０Ｂの端子７２の他の一部は、追加端子２５６を介して電気部品１０、即ち、実装基板１９の回路に電気的に接続される。このため、電気部品１０と電気部品１２Ｂとの間を電気的に接続する必要がある場合でも、電気部品１０と電気部品１２Ｂとを別のワイヤーハーネスによって接続する必要はなく、効率的なワイヤーハーネスの配索が可能となる。
【００７７】
なお、上記各実施形態及び各変形例で説明した各構成は、相互に矛盾しない限り適宜組合わせることができる。例えば、第１変形例と第２変形例とが組合わされ、追加端子１５６、２５６が併用されてもよい。
【００７８】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００７９】
１０，１１，１２Ａ，１２Ｂ  電気部品
１８  筐体
１８ｈ  開口
１９  実装基板
２０  コネクタ付電気部品
３０  コネクタユニット
４０，１４０，２４０  電気部品組込コネクタ
４４，６４，７４，１４４，２４４  コネクタハウジング
５２，６２，７２  端子
５２ａ，５４ａ，５４ｂ，６２ａ，７２ａ，１５６ａ，２５６ａ  コネクタ端子部
５４  中継端子
６０  第１コネクタ
６２ｂ，７２ｂ  電線接続部
６８  ワイヤーハーネス
６９，７９  電線
７０Ａ，７０Ｂ  第２コネクタ
１５６，２５６  追加端子
１５６ｂ，２５６ｂ  電気部品接続部
【図１】
0006386984.tif 000002
【図２】
0006386984.tif 000003
【図３】
0006386984.tif 000004
【図４】
0006386984.tif 000005
【図５】
0006386984.tif 000006
【図６】
0006386984.tif 000007
【図７】
0006386984.tif 000008
【図８】
0006386984.tif 000009
【図９】
0006386984.tif 000010